(57)【特許請求の範囲】
【請求項１】
開閉器用インターロック装置であって、
開閉器の各相の充電状態と位相状態を判定する検相器(7)と、
検相器(7)からの信号を受けて開閉器の操作ハンドル(91)のロック及びロック解除を選択的に行うインターロック装置(U)と、
を備え、
前記インターロック装置(U)は、
操作ハンドル(91)をロックするロックピン(2)と、
ロックピン(2)をロック状態からロック解除状態にするハンドルロック解除部(3)と、
ハンドルロック解除部(3)によるロック解除状態を保持する掛止機構部(4,33)と、
ロックピン(2)をロック解除状態からロック状態にするハンドルロック復帰部(5)と、
操作ハンドル(91)を入操作することで前記掛止機構部(4,33)によるロック解除状態を解除する入操作時掛止解除部(6)と、
を備えており、
前記ハンドルロック解除部(3)によるロック解除後は、ハンドルロック解除部(3)を駆動する電源を遮断し、前記掛止機構部(4,33)でロック解除状態を機械的に保持する、
開閉器用インターロック装置。
【請求項２】
インターロック装置(U)が、開閉器(9)に取り付け及び取り外しが自在なケース(1)に収められたユニット構造である、
請求項１記載の開閉器用インターロック装置。
【請求項３】
入操作時掛止解除部(6)により、掛止機構部(4,33)の掛止状態を解除したときに、ロックピン(2)を操作ハンドル(91)の回動操作ができる状態で非ロック位置に止めて、電源投入後の操作ハンドル(91)の切操作ができるようにするロック制御部材(93)を備えている、
請求項１記載の開閉器用インターロック装置。
【請求項４】
検相器(7)が、異なる相間の位相状態を判定する手段(76,76a)を備えており、三相又は単相回路工事で相間の位相状態が正常であるときにロック解除の制御を行う、
請求項１、２又は３記載の開閉器用インターロック装置。
【請求項５】
検相器(7)が、単相回路を選択する手段(77)を備えており、単相回路工事で位相状態が正常であるときにロック解除の制御を行う、
請求項１、２、３又は４記載の開閉器用インターロック装置。
【請求項６】
検相器(7)が、開閉器(9)の全端子の充電状態を検出する手段(74,74a)を備えており、開閉器(9)の全端子が無電圧であるときにロック解除の制御を行う、
請求項１、２、３、４又は５記載の開閉器用インターロック装置。
【請求項７】
検相器(7)が、開閉器(9)の三相又は単相回路での充電状態と位相状態を検出する手段(74,74a),(76,76a)を備えており、開閉器(9)の片側の充電状態と位相状態が正常であり、他方側がすべて無電圧であるときにロック解除の制御を行う、
請求項１、２、３、４、５又は６記載の開閉器用インターロック装置。
【請求項８】
開閉器(9)と、
請求項１乃至７記載の何れか一つの開閉器用インターロック装置(U)と、
を備えている、
工事用開閉器。
【発明の詳細な説明】
【技術分野】
【０００１】
本発明は、開閉器用インターロック装置及びそれを備えた工事用開閉器に関するものである。更に詳しくは、例えば高圧配電線路のバイパス工事を行う場合に使用される工事用開閉器のインターロック装置であって、ロック解除の状態の保持を機械的に行うことで省電力化を図ると共に、インターロック装置を既存の開閉器にも軽微な改造で取付可能であり、検相器を備えることで工事内容に則した操作ハンドルのロック及びロック解除を自動的に行う開閉器用インターロック装置及びそれを備えた工事用開閉器に関する。
【背景技術】
【０００２】
高圧配電線路において各種工事を行う場合、電力会社では需要家側が停電状態とならないように、工事区間の線路と並列にバイパス線路を設けて、電力の供給を維持した状態で工事を行う。この場合、バイパス線路には、工事用の開閉器が取り付けられている。
この開閉器は、接続されたバイパスケーブルの充電状態及び位相状態を開閉器に装備されている検相器で検出して投入の可否を判定し、判定結果を知らせるようになっている。工事者は、検相器の判定結果を基に開閉器の入操作を行っている。
【０００３】
しかし、前記方法では、検相器の判定に対する判断が工事者に委ねられているため、検相器の判定結果にも関わらず、工事者が判断を誤って、開閉器を投入してはいけないときに入操作をするおそれがあった。この場合は、配電線への波及事故となり、電力の供給を停止させたり、工事関係者が感電する等、重大な事故を引き起こしてしまう。
このような、いわゆるヒューマンエラーを防止するため、開閉器に検相器の判定結果に連動したインターロック装置を付加することにより、検相器が正常接続と判断したときのみ検相器からの信号を受けロック解除となり、入操作を可能としたものが既に提案されている（特許文献１参照）。
【０００４】
特許文献１に記載の「検電、検相機能付工事用開閉器」は、受電用及び需要家用ブッシングに接続された電源側及び需要家側ケーブルの検電装置と検相装置とを開閉器に設け、その表示部を外部から視認可能に設けると共に、手動開閉操作される連動部材には、常時連動部材の移動軌跡内に位置し投入動作を不能にするロック部材を設け、ロック部材には検電装置及び検相装置により、両ケーブル間の各相の一致及び充電状態を検知した時のみ励磁されるソレノイドを連結し、ソレノイドの励磁動作によりロック部材のロック状態を解除することにより開閉部の投入動作を可能にする、というものである。
【先行技術文献】
【特許文献】
【０００５】
【特許文献１】特公平５−８６６１２
【発明の概要】
【発明が解決しようとする課題】
【０００６】
しかしながら、前記特許文献１に記載の「検電、検相機能付工事用開閉器」は、検相器が正常接続と判断したときのみ検相器からの信号を受けロック解除となり、入操作を可能とする点については有用であるが、次のような課題があった。
【０００７】
すなわち、ロック部材のロック状態の解除は、ソレノイドの励磁により行われ、ロック解除状態の保持は、ソレノイドの励磁状態を維持することにより行われる。このため、ロック解除状態の保持のための電力が必要になり、省エネルギーの観点からは好ましい状況とはいえない。
【０００８】
また、ロック部材によるロック機構は、開閉器の製造時に組み込まれる構造であって、既存の開閉器に後で組み込むことができるようにはなっていない。このため、このロック機構を有する開閉器を採用しようとすれば、開閉器の全体を入れ替えるしか方法がなく、この場合の費用負担が大きかった。
【０００９】
さらに、検相機能については、高圧配電線の工事において工事用の開閉器を用いてバイパス線路を設ける際に、正常な接続がなされず、例えば同じ相に２線を誤って接続した場合、従来の検相器では異常接続とは判定できなかったため、工事者の判断で投入してしまうことによる事故が発生しやすかった。
【００１０】
また、単相回路のバイパス線路を設ける場合、従来の検相器では単相回路が異常接続と判定されてインターロックされるため、工事者が「単相での工事なので開閉器を入操作して良い」と判断し、インターロックを強制解除して開閉器の入操作をしていた。しかしこの場合も、入操作に工事者の判断が介在するため、三相回路の場合に単相回路と判断を誤って誤投入するおそれがあった。
【００１１】
（本発明の目的）
本発明の目的は、開閉器の誤投入を防止するインターロック装置において、ロック解除状態を機械的に保持する構造として、ロック解除状態の保持のための電力を不要とし、電力消費の低減を図った開閉器用インターロック装置及びそれを備えた工事用開閉器を提供することである。
【００１２】
また、前記目的に加えて、インターロック装置を既存の開閉器にも軽微な改造で取付可能な構造とし、インターロック装置のみの交換もできるようにすることを目的とする。
【００１３】
さらに、前記目的に加えて、検相器の判定回路に、相間の位相状態を判定する回路を備えることにより、同じ相に誤って２線を接続した場合も異常接続と判定できるようにすることを目的とする。
【００１４】
また、前記目的に加えて、検相器での判定を三相回路での工事と単相回路での工事を区別して行い、単相回路工事で接続が正常なときは、開閉器のインターロックを自動解除して開閉器の入操作ができるようにし、工事者による判断を介在させないことで、誤投入を防止できるようにすることを目的とする。
【課題を解決するための手段】
【００１５】
上記課題を解決するために本発明が講じた手段は次のとおりである。
【００１６】
（１）本発明は、
開閉器用インターロック装置であって、
開閉器の各相の充電状態と位相状態を判定する検相器と、
検相器からの信号を受けて開閉器の操作ハンドルのロック及びロック解除を選択的に行うインターロック装置と、
を備え、
前記インターロック装置は、
操作ハンドルをロックするロックピンと、
ロックピンをロック状態からロック解除状態にするハンドルロック解除部と、
ハンドルロック解除部によるロック解除状態を保持する掛止機構部と、
ロックピンをロック解除状態からロック状態にするハンドルロック復帰部と、
操作ハンドルを入操作することで前記掛止機構部によるロック解除状態を解除する入操作時掛止解除部と、
を備えており、
前記ハンドルロック解除部によるロック解除後は、ハンドルロック解除部を駆動する電源を遮断し、前記掛止機構部でロック解除状態を機械的に保持する、
開閉器用インターロック装置である。
【００１７】
（２）本発明は、
インターロック装置が、開閉器に取り付け及び取り外しが自在なケースに収められたユニット構造である、
前記（１）の開閉器用インターロック装置である。
【００１８】
（３）本発明は、
入操作時掛止解除部により、掛止機構部の掛止状態を解除したときに、ロックピンを操作ハンドルの回動操作ができる状態で非ロック位置に止めて、電源投入後の操作ハンドルの切操作ができるようにするロック制御部材を備えている、
前記（１）の開閉器用インターロック装置である。
【００１９】
（４）本発明は、
検相器が、異なる相間の位相状態を判定する手段を備えており、三相又は単相回路工事で相間の位相状態が正常であるときにロック解除の制御を行う、
（１）、（２）又は（３）の開閉器用インターロック装置である。
【００２０】
（５）本発明は、
検相器が、単相回路を選択する手段を備えており、単相回路工事で位相状態が正常であるときにロック解除の制御を行う、
（１）、（２）、（３）又は（４）の開閉器用インターロック装置である。
【００２１】
（６）本発明は、
検相器が、開閉器の全端子の充電状態を検出する手段を備えており、開閉器の全端子が無電圧であるときにロック解除の制御を行う、
（１）、（２）、（３）、（４）又は（５）の開閉器用インターロック装置である。
【００２２】
（７）本発明は、
検相器が、開閉器の三相又は単相回路での充電状態と位相状態を検出する手段を備えており、開閉器の片側の充電状態と位相状態が正常であり、他方側がすべて無電圧であるときにロック解除の制御を行う、
（１）、（２）、（３）、（４）、（５）又は（６）の開閉器用インターロック装置である。
【００２３】
（８）本発明は、
開閉器に、前記（１）乃至（７）の何れか一つの開閉器用インターロック装置を備えている、
工事用開閉器である。
【００２４】
（作用）
本発明に係る開閉器用インターロック装置及びそれを備えた工事用開閉器の作用を説明する。
【００２５】
本発明は、開閉器の誤投入を防止するインターロック装置において、ロック解除状態を機械的に保持する構造であるので、従来のようなロック解除状態の保持のための電力が不要となり、電力消費を低減することができる。
【００２６】
また、インターロック装置が、開閉器に取り付け及び取り外しが自在なケースに収められたユニット構造であるものは、インターロック装置を開閉器に軽微な改造を施すだけで既存の開閉器に取り付けることができる。また、その後、インターロック装置のみの交換も可能であり、メンテナンスもしやすい。
【００２７】
入操作時掛止解除部により、掛止機構部によるロック解除状態を解除したときに、ロックピンを操作ハンドルの回動操作ができる状態で非ロック位置に止めるロック制御部材を備えているものは、電源投入後の操作ハンドルの切操作がそのままできる。
【００２８】
本発明は、開閉器用インターロック装置を構成する検相器の判定回路に、相間の位相状態を判定する手段を備えているので、同じ相に誤って２線を接続した場合も異常接続と判定し、インターロックは解除されない。これにより、前記場合において工事者による判断を介在させないことで、工事者が誤って開閉器の入操作をすることによる事故を防止できる。
【００２９】
検相器が単相回路を選択する手段を備えているものは、三相回路での工事と単相回路での工事を区別することで、単相回路工事で接続が正常なときにのみ開閉器のインターロックを自動解除して開閉器の入操作ができるようにするので、前記場合において工事者による判断を介在させないことで、工事者が誤って開閉器の入操作をすることによる事故を防止できる。
【００３０】
検相器が開閉器の全端子の充電状態を検出する手段を備えているものは、開閉器の全端子が無電圧であるときにロック解除を行うので、例えば高圧配電線の工事用開閉器を用いたバイパス工事終了後にケーブルに充電している電荷を一括して接地放電する際、仮にケーブルを高圧配電線から外すことを忘れて接続したままの場合、インターロックは解除されない。これにより、地絡事故や短絡事故を防ぐことができる。
【００３１】
検相器が、開閉器の三相又は単相回路での充電状態と位相状態を検出する手段を備えているものは、開閉器の片側の充電状態と位相状態が正常であり、他方側の状態がすべて無電圧であるときにロック解除の制御を行うので、工事者の判断によるインターロックの強制解除をなくしており、工事者の判断誤りでの不完全なバイパス線路での工事を防ぐことができる。
【発明の効果】
【００３２】
（ａ）本発明は、開閉器の誤投入を防止するインターロック装置において、ロック解除状態を機械的に保持する構造であるので、従来のようなロック解除状態の保持のための電力が不要となり、電力消費を低減することができる。
【００３３】
（ｂ）インターロック装置が、開閉器に取り付け及び取り外しが自在なケースに収められたユニット構造であるものは、インターロック装置を開閉器に軽微な改造を施すだけで既存の開閉器に取り付けることができる。また、その後、インターロック装置のみの交換も可能であり、メンテナンスもしやすい。
【００３４】
（ｃ）開閉器用インターロック装置を構成する検相器の判定回路に、相間の位相状態を判定する回路を備えているので、同じ相に誤って２線を接続した場合も異常接続と判定し、インターロックは解除されない。これにより、前記場合において工事者による判断を介在させないことで、工事者が誤って開閉器の入操作をすることによる事故を防止できる。
【００３５】
（ｄ）検相器が単相回路を選択する手段を備えているものは、三相回路での工事と単相回路での工事を区別することで、単相回路工事で接続が正常なときにのみ開閉器のインターロックを自動解除して開閉器の入操作ができるようにするので、前記場合において工事者による判断を介在させないことで、工事者が誤って開閉器の入操作をすることによる事故を防止できる。
【図面の簡単な説明】
【００３６】
【図１】本発明に係る開閉器用インターロック装置を構成するインターロックユニットの内部構造を、裏蓋を一部切欠して示す背面側から視た斜視図。
【図２】インターロックユニットの構造を示す背面図。
【図３】インターロックユニットの構造を示す下面図。
【図４】ハンドルロック解除部のハンドルロック状態を示し、（ａ）は斜視説明図、（ｂ）は側面視説明図。
【図５】ハンドルロック解除部のハンドルロック解除状態を示し、（ａ）は斜視説明図、（ｂ）は側面視説明図。
【図６】ハンドルロック復帰部のハンドルロック解除状態を示し、（ａ）は斜視説明図、（ｂ）は側面視説明図。
【図７】ハンドルロック復帰部のハンドルロック復帰状態を示し、（ａ）は斜視説明図、（ｂ）は側面視説明図。
【図８】ハンドル入操作時ラッチ解除部のハンドルロック解除状態を示し、（ａ）は背面側下方からの斜視説明図、（ｂ）は（ａ）における矢印ａ２方向からみた説明図。
【図９】ハンドル入操作時ラッチ解除部のハンドルロック停止状態を示し、（ａ）は背面側下方からの斜視説明図、（ｂ）は（ａ）における矢印ａ３方向からみた説明図。
【図１０】本発明に係る開閉器用インターロック装置を取り付けた工事用開閉器の斜視図。
【図１１】操作ハンドルの操作に伴うインターロック装置の作用を示し、（ａ）は開放状態、（ｂ）はハンドルロックが解除された状態、（ｃ）は操作ハンドルの入操作によりラッチ状態が解除されロックピンがロック制御部材に当たって停止している状態、（ｄ）は操作ハンドルの切操作によりロックピンがロック制御部材から外れてロック位置に移動し操作ハンドルをロックしている状態を示す説明図。
【図１２】本発明に係る開閉器用インターロック装置を構成する検相器の判定回路を示すブロック図。
【図１３】検相器の位相判定処理の流れを示すフロー図。
【図１４】バイパス線路が三相である場合に工事用開閉器の２線を同相（Ｓ相）に誤って接続した状態を示す説明図。
【図１５】図１４に示す接続状態を判定した場合の検相器の表示を示す説明図。
【図１６】図１４に示す接続状態を判定した場合の従来の検相器の表示例を示す説明図。
【図１７】検相器の単相回路処理の流れを示すフロー図。
【図１８】バイパス線路が単相回路である場合の工事用開閉器の接続状態を示す説明図。
【図１９】検相器の無電圧ロック解除処理の流れを示すフロー図。
【図２０】工事後にバイパス線路のケーブルの接続を解除し充電電荷の接地放電を行う場合の説明図。
【図２１】片側充電ロック解除処理の流れを示すフロー図。
【図２２】バイパス線路が三相である場合に二台の工事用開閉器を直列に接続して使用する場合の接続状態を示す説明図。
【図２３】検相器の操作スイッチを含む外観を示す説明図。
【図２４】従来の一般的な検相器の判定回路を示すブロック図。
【図２５】工事用開閉器を三相回路で正常にバイパス接続した状態を示す説明図。
【発明を実施するための形態】
【００３７】
本発明を図面に示した実施の形態に基づき詳細に説明する。
図１乃至図１１を参照する。
工事用開閉器Ｓは、図１０に示すように、開閉器９と開閉器用インターロック装置Ａで構成されている。開閉器用インターロック装置Ａは、検相器７（図２３、図１２も併せて参照）とインターロックユニットＵからなる。
検相器７については、図１２乃至図２５参照して後で詳細に説明する。
【００３８】
開閉器用インターロック装置Ａを構成するインターロックユニットＵは、ケース１、ロックピン２、ハンドルロック解除部３、ラッチアーム４（後述するロックアーム３３と共に掛止機構部を構成）、ハンドルロック復帰部５及びハンドル入操作時ラッチ解除部６（ハンドル入操作時掛止解除部を構成）で構成されている（図１乃至図３参照）。
【００３９】
インターロックユニットＵは、それ自体が独立したユニット構造であり、開閉器９の操作ハンドル９１に、後述するようにロック制御部材９３や押し具９４を取り付ける軽微な改造を施して操作ハンドル９１との位置関係等を整合させることで、開閉器用インターロック装置を備えていない既存の開閉器９に後付けして、インターロック装置付き工事用開閉器Ｓを構成することができる。なお、インターロックユニットＵをユニット構造とせず、開閉器９に製造段階で組み込んで工事用開閉器を形成することもできる。
【００４０】
（ケース１）
ケース１は、各構成板１０、１１、１２、１３、１４、１５によって構成される直方体状の筐体である。ケース１は、正面側（以下、方向については図１０のように開閉器９の筐体９０に取り付けた状態を基準とし、正面側は図１で奥側）が構成板１５で塞がれ、背面側が構成板（裏蓋）１０で塞がれている。ケース１は、構成板１０側が開閉器９への取り付け側となる。なお、ケース１の側部の各構成板１１、１２、１３、１４、１５には、付帯部品が固定されているが、これら各部品については、後述する各部の構成の説明で詳述する。
【００４１】
（ロックピン２）
開閉器９の操作ハンドル９１を入操作できないようにロックするロックピン２は、ケース１の構成板１１の一方側（図１乃至図３で左側）に取付基具２０により取り付けられている。取付基具２０は、金属板をほぼコ字形状に曲げて形成されており、各構成板（図３で上下側の構成板）２０ａ、２０ｂには、ロックピン２を通す円形の挿通孔２１ａ、２１ｂが形成されている。また、取付基具２０の底部の構成板２０ｃには、ガイド長孔２２がロックピン２の進退方向に設けられている。
【００４２】
取付基具２０の各構成板２０ａ、２０ｂ間には、両端側を挿通孔２１、２１ａに貫通させて、丸棒形状のロックピン２がスライド自在に挿通されている。ロックピン２の長さ方向のほぼ中間部には、直径方向に貫通し両端がロックピン２の周面から突出した掛合ピン２３が固定されている。掛合ピン２３の一端２３ａ側（図２で下側）はガイド長孔２２にスライド自在に通されており、他端２３ｂ側（図２で上側）は構成板１１に接触しないように取付基具２０内に収めてある。なお、掛合ピン２３の他端２３ｂ側には、後述するロック解除アーム３０が掛合できるようにしてある。
【００４３】
また、ロックピン２の掛合ピン２３と取付基具２０の板２０ｂとの間には、ロックピン２に嵌め入れて圧縮コイルバネ２４（図１乃至図７で図示。図８、図９では省略）が装着されており、これによりロックピン２は、ロック方向（図３で下方向）へ付勢されている。ロックピン２は、掛合ピン２３がガイド長孔２２の板２０ａに近い側の端部に当たることにより、取付基具２０の板２０ａの挿通孔２１ａからの突出長が決まるようになっており、このロックピン２の突出したときの位置が開閉器の操作ハンドル９１を止めることができるロック位置となる。
【００４４】
（ハンドルロック解除部３）
図４、図５を主に参照する。図４、図５では便宜上、後述するハンドルロック復帰部５等の図示は省略している。なお、図４、図５（後述する図６、図７も同様）は、図１における矢印ａ１方向からみた説明図である。
ハンドルロック解除部３は、ロック解除アーム３０を備えている。ロック解除アーム３０は、ケース１の構成板１１の一方側の取付基具２０近傍に設けられた軸受具３１により軸支された軸３２の先端３２０（構成板１１の外側に位置）に固定されている。ロック解除アーム３０の先部には、前記ロックピン２の掛合ピン２３の他端２３ｂ側にロックピン２のロック方向側から掛合する掛合凹部３００が形成されている。
【００４５】
軸３２の基端３２２（構成板１１の内側に位置）には、先部側が扇状に拡がった板状のロックアーム３３の基端部が固定されている。ロックアーム３３の先端部には、軸３２を中心とする円弧状の案内面３３０が形成されており、案内面３３０の一端（図１、図２で左端、図４で右端）には、ラッチ凹部３３１が形成されている。また、ロックアーム３３のラッチ凹部３３１と反対側には、軸３２を中心とする半径方向に長孔３３２が形成されている。ロック解除アーム３０とロックアーム３３の軸３２を中心として形成される角度は、所要の角度で固定されている（図４（ｂ）参照）。
【００４６】
ロック解除用ソレノイド３４のロッド３４０先端には、連結板３５が掛止ピン３４１により取り付けられている。連結板３５は、掛合ピン３５０を有している。掛合ピン３５０は、ロックアーム３３の長孔３３２に対し移動できるように掛合されている。ロックアーム３３は、ケース１の構成板１５に固定されているロック解除用ソレノイド３４の励磁により駆動される。
【００４７】
なお、ロックアーム３３は、前記ロックピン２を付勢している圧縮コイルバネ２４の付勢力で、軸３２を介しロック解除アーム３０と同じ方向（図２で奥回転方向、図４で右回転方向）へ付勢されている。そして、ロック解除用ソレノイド３４が励磁されてロッド３４０が吸引され連結板３５が後退することにより、ロックアーム３３は、後述するラッチアーム４とラッチする方向（ロックピン２によるロック状態を解除する方向：図４で左回転方向）へ回動する。
【００４８】
（ラッチアーム４）
ロックアーム３３の近傍（図４では上側）には、ラッチアーム４が軸４０（図１参照）を中心として回動自在に取り付けられている。軸４０は、ケース１の構成板１５に固定されている支持具４１（図１、図２参照）に固定されている。ラッチアーム４は、軸４０に回動自在に取り付けられているアーム板４２を有し、アーム板４２は、弦巻コイルバネ４５によってロックアーム３３方向に回動（図４で右回転方向）するよう付勢されている。
【００４９】
アーム板４２の先端寄りの連結板３５側の面には、軸４０と平行かつ突出した状態で固定されているラッチピン４３を有している。また、アーム板４２のラッチピン４３より基部寄りには、ラッチピン４３とは反対側の面にラッチ解除ピン４４が軸４０と平行かつ突出した状態で固定されている。ラッチピン４３は、弦巻コイルバネ４５の付勢力で前記ロックアーム３３の案内面３３０とラッチ凹部３３１に当接する。ラッチ解除ピン４４には、後述するようにハンドル入操作時ラッチ解除部６のラッチ解除アーム６３がラッチ解除時に接触して押すようになっている（図８、図９参照）。
【００５０】
（ハンドルロック復帰部５）
図６、図７を主に参照する。なお、図６、図７は前記したように図４、図５と同じ方向からみた説明図で、説明の便宜上、前記ハンドルロック解除部３等の図示は一部省略している。
ハンドルロック復帰部５は、ロック復帰アーム５０を有している。ロック復帰アーム５０は、軸５１を中心として回動自在に取り付けられている。軸５１は、ケース１の構成板１５の上部側の構成板１２寄りに固定されている支持具５３（図２に図示）に固定されている。ロック復帰アーム５０の近傍には、ロック復帰アーム５０との角度を維持したままロック復帰アーム５０と一体に回動するロッド取付アーム５２が設けられている。
【００５１】
ロック復帰アーム５０は、構成板１５に固定されているロック復帰用ソレノイド５４の励磁により駆動される。前記ロッド取付アーム５２の先部は、ロック復帰用ソレノイド５４のロッド５４０に掛止ピン５４１により回動自在に取り付けられている。支持具５３と掛止ピン５４１の間には弦巻コイルバネ５４２が掛けられており、ロッド５４０は常時突出する方向（図６、図７で右方向）へ付勢されている。
【００５２】
これにより、ロック復帰用ソレノイド５４が励磁されていないときは、ロック復帰アーム５０の先部はラッチピン４３と離れた位置にあり、ロック復帰用ソレノイド５４が励磁されてロッド５４０が吸引されると、ラッチピン４３に当たり、ラッチピン４３を押してラッチアーム４によるラッチ状態を解除し、ロックピン２はロック位置に復帰する。
【００５３】
（ハンドル入操作時ラッチ解除部６）
図８、図９を主に参照する。
ハンドル入操作時ラッチ解除部６は、開閉器９の操作ハンドル９１を入操作したときにラッチアーム４とロックアーム３３によるラッチ状態を解除してロックピン２をロック位置方向（突出方向）へ移動させるものである。なお、このとき、ロックピン２は、後述するように、操作ハンドル９１に設けられているロック制御部材９３によって突出が妨げられ、この状態（ロック解除状態）は次に操作ハンドル９１の切操作が行われるまで保持される。
【００５４】
ハンドル入操作時ラッチ解除部６は、ハンドル受アーム６０を備えている。ハンドル受アーム６０は、ケース１の構成板１１の軸受具３１に隣接して設けられた軸受具６１（図１乃至図３に図示）により軸支された軸６２の先端（構成板１１の外側に位置）に固定されている。軸６２の基端には、ラッチ解除アーム６３が固定されている。ハンドル受アーム６０とラッチ解除アーム６３の軸６２を中心として形成する角度は、所要の角度で固定されている（図８（ｂ）参照）。ハンドル受アーム６０は操作ハンドル９１を入操作したときにロック制御部材９３に設けた押し具９４と掛合してラッチ解除アーム６３を作動させる。
【００５５】
なお、ラッチ解除アーム６３と構成板１１の間には、弦巻コイルバネ６４が介装され（図１、図２参照）、これにより、ラッチ解除アーム６３は、先部６３０がラッチ解除ピン４４から離れる方向（図８で左回転方向）に付勢されている。したがって、常態においては、ラッチ解除アーム６３の先部６３０はラッチ解除ピン４４から離れた位置にある。
そして、後述するように操作ハンドル９１が入操作されることによってハンドル受アーム６０に押し具９４が掛合しハンドル受アーム６０が押されて回動すると、ラッチ解除アーム６３が回動してラッチ解除ピン４４と掛合し、ラッチ解除ピン４４を押してラッチアーム４によるラッチ状態を解除する。これにより、ロックピン２はロック位置方向へ移動する。
【００５６】
また、ケース１内部には、検相器７からの信号を入力するためのケーブル１６が構成板１１の他方側（図１乃至図３で右側）を貫通して導入されている。検相器７からの信号は、前記ロック解除用ソレノイド３４及びロック復帰用ソレノイド５４の制御回路（図示省略）に送られて、ロッド３４０、５４０の吸引及び吸引解除が制御される。
【００５７】
前記したように、開閉器用インターロック装置Ａは、工事用の開閉器９に組み込んで使用するものであるので、ここで開閉器用インターロック装置Ａを備えた工事用開閉器Ｓの構造の概略を説明する。
図１０、図１１及び図８、図９を参照する。
【００５８】
開閉器９の筐体９０の正面には、電源の投入・開放操作（入・切操作）を行う操作ハンドル９１が設けられている。筐体９０正面の操作ハンドル９１の中心軸（図示省略）の近傍（上方）には、前記開閉器用インターロック装置Ａを構成するインターロックユニットＵが固定されている。また、検相器７は、筐体９０の底部に内蔵されている。
なお、筐体９０の正面側上部に表示されている「入」、「切」の文字は、その下方に設けられており操作ハンドル９１の入切状態を示す指針９６の向きに対応するものである。
【００５９】
インターロックユニットＵは、ケース１の構成板１０側を筐体９０正面へ向け、固定金具やボルト等の固定具（符号省略）により固定されており、取り外しも可能である。
なお、ロックピン２は、図１０においてケース１の右下に位置し、操作ハンドル９１側へ突出して操作ハンドル９１を切位置でロック状態を維持して検相器７からの入信号を受けるまで入操作できないようにロックすることができる。
【００６０】
操作ハンドル９１の中心軸近傍には、板状のロック制御部材９３が操作ハンドル９１と一体となるよう平行に重なった状態で取り付けられている。
ロック制御部材９３には、外側の縁部が中心軸を中心とする円弧状であるロックピン止部９３０が形成されている。ロックピン止部９３０は、操作ハンドル９１の入位置から切位置手前までの可動範囲において、前記ロックピン２が当接することができる範囲で設けられている（図８（ａ）、図９（ａ）参照）。
【００６１】
ロック制御部材９３の背面側（開閉器９側：図８（ａ）、図９（ａ）では手前側）の一端部には、前記ハンドル受アーム６０に掛合してハンドル受アーム６０を押して回動させる押し具９４が固定されている。押し具９４は、操作ハンドル９１の切位置では、ハンドル受アーム６０と離れた位置にある（図８参照）。そして、前記したように操作ハンドル９１が入操作されることによって、図９に示すようにハンドル受アーム６０に押し具９４が掛合しハンドル受アーム６０は押し具９４で押されて回動する。
【００６２】
ハンドル受アーム６０が押されると同時にラッチ解除アーム６３が回動して先部６３０がラッチ解除ピン４４と掛合し、ラッチ解除ピン４４を押してラッチアーム４によるラッチ状態を解除し、ロックピン２はロック位置方向へ移動する。このとき、ロックピン２の先端は、ロックピン止部９３０に当たって止められ、ロック位置まで移動することができない。これにより、次に操作ハンドル９１の切操作が行われるまでロック解除状態が保持される。
【００６３】
（作用）
図１乃至図１１を参照して、開閉器用インターロック装置Ａを備えた工事用開閉器Ｓの作用を説明する。
【００６４】
（Ａ）操作ハンドル切位置（図１０、図１１（ａ）参照）
操作ハンドル９１が切位置にある状態では、開閉器９の電源は開放されており、ロックピン２はロック位置にあり（図４参照）、操作ハンドル９１を入操作することはできない。また、このロックピン２の状態は、目視で容易に確認できる。
【００６５】
検相器７からハンドルロック解除の信号が送られると、ロック解除用ソレノイド３４が励磁（１ショット励磁：瞬間的に励磁→励磁解除が行われる）され、ロッド３４０が吸引されて連結板３５が後退することにより、図５に示すようにロックアーム３３はロック解除用ソレノイド３４側に回動する。ロックアーム３３が回動端まで回ると、ラッチアーム４のラッチピン４３がロックアーム３３のラッチ凹部３３１と掛合し、ラッチ状態となる。ラッチ状態となった後は、前記のようにロック解除用ソレノイド３４の励磁が直ちに解除され、ロックアーム３３のラッチ凹部３３１との掛合によりロック解除状態は機械的に保持される。
【００６６】
ロックアーム３３が回動するのと同時にロック解除アーム３０がロックピン２を後退させる方向へ回動する。ロックピン２は、ロック解除アーム３０によって圧縮コイルバネ２４の付勢力に抗して押し戻されて後退し、前記ラッチピン４３とラッチ凹部３３１の掛合によってロック解除位置に停止する（図５参照）。これにより、操作ハンドル９１の入操作が可能なスタンバイ状態になる。なお、このスタンバイ状態は、施工現場において１時間程度継続する場合もある。
【００６７】
（Ｂ）操作ハンドルが切位置にあるときのハンドルロック復帰
前記スタンバイ状態において、検相器７が例えばケーブルが外れる等の異常を検出した場合は、ロックピン２がロック状態に戻る。すなわち、検相器７からロック施錠の信号が送られ、ロック復帰用ソレノイド５４が励磁（１ショット励磁）され、ロッド５４０が吸引される。これにより、ロック復帰アーム５０が回動し、ラッチアーム４のラッチピン４３を押してラッチ状態を解除し、その後、ロック復帰用ソレノイド５４の励磁が直ちに解除され、ロック復帰アーム５０はラッチピン４３から離れる。ロックピン２は、圧縮コイルバネ２４の付勢力でロック位置方向へ移動してロック位置に復帰し（図７参照）、作業者は操作ハンドル９１の入操作ができなくなる。
【００６８】
（Ｃ）操作ハンドル切位置（ハンドルロック解除：図１１（ｂ）参照）からの入操作
前記スタンバイ状態において、検相器７が異常を検出しない場合、必要なときに作業者が操作ハンドル９１を入方向へ回し、操作ハンドル９１が入位置にくると、開閉器９が投入される。
また、操作ハンドル９１が入位置にくると、ロック制御部材９３の押し具９４がインターロックユニットＵのハンドル受アーム６０に当たり、ハンドル受アーム６０は押し具９４で押されて回動する（図８、図９参照）。
【００６９】
ハンドル受アーム６０が回動すると同時に、ラッチ解除アーム６３が回動してラッチアーム４のラッチ解除ピン４４を押してラッチ状態を解除し、ロックピン２は、圧縮コイルバネ２４の付勢力でロック位置方向へ移動する。
【００７０】
このとき、ロック制御部材９３のロックピン止部９３０が、操作ハンドル９１の回動によってロックピン２と対応する位置に移動しており、ロックピン２の先端は、ロックピン止部９３０に当たって止められ、ロック位置まで移動することができず、非ロック位置に止まる（図９（ｂ）参照）。なお、ロック解除用ソレノイド３４は励磁されない状態のままである。
【００７１】
これにより、操作ハンドル９１は入位置から切操作が可能であり、次に操作ハンドル９１の切操作が行われて切状態となるまで、このロック解除状態（ロックピン２が前記非ロック位置にある状態）が保持される（入操作完了状態：図１１（ｃ）参照）。
【００７２】
（Ｄ）操作ハンドル入位置からの切操作
【００７３】
作業者が操作ハンドル９１の切操作を行うと、ロック制御部材９３のロックピン止部９３０は、圧縮コイルバネ２４の付勢力で押し付けられているロックピン２の先端と当接したままで回動する。
【００７４】
そして、操作ハンドル９１が切位置までくると、ロックピン２の先端がロックピン止部９３０から外れ、圧縮コイルバネ２４の付勢力でロック位置まで移動し突出して停止する（切操作完了状態：図１１（ｄ）参照）。このように、切操作完了後は常にロック状態となる。
【００７５】
このように、開閉器用インターロック装置Ａは、開閉器９の入操作（投入操作）のときだけは、ロック解除しないと操作ができないようになっており、入操作位置から切操作（開放操作）を行うときは、ロック解除を行う必要をなくし、そのまま自由に操作できるようにしている。
【００７６】
（検相器７）
図１２乃至図２５を参照し、検相器７について説明する。
前記インターロックユニットＵは、検相器７によって操作ハンドル９１のロック及びロック解除の制御が行われる。
検相器７は、バイパス線路（８１、８４）、（８２、８５）、（８３、８６）における工事用開閉器Ｓの接続状態を検出し、操作ハンドル９１のロック中にロック解除と判定されればインターロックユニットＵのロック解除用ソレノイド３４の制御回路にロック解除を指示する信号を送り、ロック施錠と判定されれば同信号を送らない。
また、ロックピン２がロック解除中にロック施錠と判定されればロック復帰用ソレノイド５４の制御回路にロック施錠を指示する信号を送る。
【００７７】
図２３を参照し、検相器７の操作スイッチを含む外観を説明する。
判定回路（図１２参照）を内蔵するケース７０の正面部には、操作スイッチ７７と検出表示部７８が設けられている。
操作スイッチ７７には、図２３で時計回り方向へ順に、「片側充電ロック解除」、「無電圧ロック解除」、「切」、「三相検相テスト」、「三相検相」、「単相検相テスト」、「単相検相」の各ポジションが設定されている。また、検出表示部７８には、検相による判定結果がＲ、Ｓ、Ｔの各相ごとにランプ点灯によって表示されるようになっている。
【００７８】
なお、バイパス工事の工事内容に対する操作スイッチ７７のポジションの設定は次の通りである。
まず、「三相検相」のポジションは、三相バイパス工事で工事用開閉器Ｓを投入（操作ハンドル９１を入操作）できるかどうかをみるとき（後述する〔００９４〕〜〔００９６〕参照）に設定される。このポジションでは、三相が正常であるときに「ロック解除」と判定される。
【００７９】
「単相検相」のポジションは、単相バイパス工事で工事用開閉器Ｓを投入できるかどうかをみるとき（後述する〔０１０１〕参照）に設定される。このポジションでは、二相が正常であるときに「ロック解除」と判定される。
【００８０】
「無電圧ロック解除」のポジションは、バイパス工事終了後にケーブルの接地放電のために工事用開閉器Ｓの操作ハンドル９１を入操作できるかどうかをみるとき（後述する〔０１０５〕〜〔０１０６〕参照）に設定される。このポジションでは、全六端子が無電圧のときに「ロック解除」と判定される。
また、このポジションは、装置点検のため操作ハンドル９１を入操作するときにも設定される。この場合も同様に、全六端子が無電圧のときに「ロック解除」と判定される。
【００８１】
「片側充電ロック解除」のポジションは、工事用開閉器Ｓを複数直列接続して使用する場合に工事用開閉器Ｓ１、Ｓ２の電源を投入できるかどうかをみるとき（後述する〔０１１２〕〜〔０１１３〕参照）に設定される。このポジションでは、開閉器の片側が正常で他方側が無電圧のときに「ロック解除」と判定される。
【００８２】
従来の検相器では、操作スイッチが、検相を行うスイッチと三相回路か単相回路かを選択するスイッチが別にあり、工事内容に応じて工事作業者が組み合わせて設定していた。このため、設定の組み合わせを誤って検相器を使用し、不完全なバイパス線路での工事をしてしまうことがあった。本実施の形態では、図２３に示すように操作スイッチを一つにしたことで、前記工事内容別の操作位置に設定するだけで検相器を正しく使用できるようになり、工事者の判断誤りによる不完全なバイパス線路での作業事故を防ぐことができる。
【００８３】
図１２を参照し、検相器７の判定回路を説明する。
開閉器用インターロック装置Ａを構成する検相器７は、工事区間の線路と並列に設けられたバイパス線路（８１、８４）、（８２、８５）、（８３、８６）中に接続された開閉器９に接続されている。開閉器９の高圧開閉器部９９を挟む線路間には、Ｒ相、Ｓ相、Ｔ相のバイパス線路の各相毎に信号線７１、７２、７３が接続されている。
【００８４】
信号線７１、７２、７３において、各相に対する両接続部寄り（図１２で左側と右側）には、充電されているかどうかの判定をする充電判定部７４（左側）、７４ａ（右側）がそれぞれ設けられている。信号線７１、７２、７３ごとの両充電判定部７４、７４ａ間には、両接続部の位相状態が正常かどうかの判定をする位相判定部７５が設けられている。
【００８５】
また、信号線７１、７２、７３において、位相判定部７５と充電判定部７４、７４ａの間には、異なる相間の位相状態が正常かどうかの判定をする相間位相判定部７６（左側）、７６ａ（右側）が設けられている。
本実施の形態の検相器７の判定回路は、図２４に示す従来の一般的な判定回路に相間位相判定部７６、７６ａを追加した構成となっている。
【００８６】
次に、図１３を参照して前記判定回路による位相判定処理の流れを説明する。
まず、（ステップ１００）でＲ相の左側と右側の位相状態が正常かどうかをみて、ＮＯであれば（ステップ１０７）で前記検出表示部７８においてＲ相異常表示を行い、次の（ステップ１０４）のＳ相の処理に移行する。
【００８７】
（ステップ１００）でＹＥＳであれば（ステップ１０１）でＲ相とＳ相の相間位相状態が正常かどうかをみて、ＮＯであれば（ステップ１０７）で検出表示部７８においてＲ相異常表示を行い、次の（ステップ１０４）のＳ相の処理に移行する。
【００８８】
（ステップ１０１）でＹＥＳであれば（ステップ１０２）でＲ相とＴ相の相間位相状態が正常かどうかをみて、ＮＯであれば（ステップ１０７）で検出表示部７８においてＲ相異常表示を行い、次の（ステップ１０４）のＳ相の処理に移行する。
（ステップ１０２）でＹＥＳであれば（ステップ１０３）で検出表示部７８においてＲ相正常表示を行い、次の（ステップ１０４）のＳ相の処理に移行する。
【００８９】
（ステップ１０４）では、Ｓ相について、前記（ステップ１００）〜（ステップ１０３）及び（ステップ１０７）のＲ相の処理と同様に処理される。
また、（ステップ１０４）が終了したら、（ステップ１０５）のＴ相の処理に移行する。
（ステップ１０５）では、Ｔ相について、前記（ステップ１００）〜（ステップ１０３）及び（ステップ１０７）のＲ相の処理と同様に処理される。
【００９０】
Ｔ相について判定が終了し、（ステップ１０６）で三相とも正常かどうかをみて、各相の何れか一つ又は複数で（ステップ１０７）の処理を通りＮＯであれば「ロック施錠」の判定をし、ＹＥＳであれば「ロック解除」の判定をする。
【００９１】
バイパス線路が三相回路である場合の検相を工事内容の具体例をあげて説明する。
まず、三相回路の検相を行うために、前記操作スイッチ７７のポジションを「三相検相」に設定する。
そして、図２５に示すように、バイパス線路が三相回路で工事用開閉器Ｓが正常に接続されている場合は、前記判定回路による位相判定処理によって「ロック解除」と判定され、自動的にロックが解除された後、操作ハンドル９１を入操作することができる。
【００９２】
しかし、図１４に示すように、同じくバイパス線路が三相である場合に工事用開閉器Ｓの２線を同相（Ｓ相）に誤って接続した場合、（ステップ１０４）においてＳ相とＴ相の相間位相状態が正常かどうかでＮＯとなり、さらに（ステップ１０５）でもＴ相とＳ相の相間位相状態が正常かどうかでＮＯとなり、これにより（ステップ１０６）で「ロック施錠」の判定をする。
【００９３】
なお、工事用開閉器の２線を同相（Ｓ相）に誤って接続した場合の検出結果は、図２４に示した従来の一般的な判定回路においては、各相の相間位相状態が正常かどうかをみないために、図１６に示すように各相が正常と表示されていた。
これに対し、本実施の形態の判定回路で検出した場合は、検出表示部７８に図１５に示すように表示される。すなわち、Ｒ相のみが正常と表示され、Ｓ相とＴ相は異常と表示されるので、Ｓ相とＴ相について接続異常があることが分かる。
【００９４】
このように、高圧配電線の工事において、工事用開閉器を用いてバイパス線路を設ける際に正常な接続がなされず、前記のように同じ相に２線を誤って接続した場合、従来の検相器では異常接続と判定できなかったが、本実施の形態では各相の相間位相状態を判定する回路によって接続異常と判定できるようになり、不完全なバイパス線路による作業事故を防ぐことができる。
【００９５】
図１７を参照して前記判定回路による単相回路処理の流れを説明する。
まず、（ステップ２００）で操作スイッチ７７のポジションが「単相検相」かどうかをみて、ＮＯであれば（ステップ２０４）で前記位相判定処理（ステップ１００〜１０７）を行い、三相とも正常であるかどうかをみて、ＮＯであれば「ロック施錠」の判定をし、ＹＥＳであれば「ロック解除」の判定をする。
【００９６】
（ステップ２００）でＹＥＳであれば（ステップ２０１）でＲ相とＳ相が共に正常かどうかをみて、ＹＥＳであれば「ロック解除」の判定をする。
また、（ステップ２０１）でＮＯであれば（ステップ２０２）でＳ相とＴ相が共に正常かどうかをみて、ＹＥＳであれば「ロック解除」の判定をする。
【００９７】
（ステップ２０２）でＮＯであれば（ステップ２０３）でＴ相とＲ相が共に正常かどうかをみて、ＹＥＳであれば「ロック解除」の判定をする。
（ステップ２０３）でＮＯであれば、「ロック施錠」の判定をする。
【００９８】
図１８を参照してバイパス線路が単相回路である場合の検相を工事内容の具体例をあげて説明する。
まず、単相回路の検相を行うために、前記操作スイッチ７７のポジションを「単相検相」に設定する。
そして、図１８に示した場合では、工事用開閉器Ｓが正常に接続されているので、前記判定回路による単相回路処理によって「ロック解除」と判定され、自動的にロックが解除された後、操作ハンドル９１を入操作することができる。
【００９９】
このように、高圧配電線の工事において工事用開閉器Ｓを用いて単相回路のバイパス線路を設ける際に、単相回路処理により三相回路での工事と単相回路での工事を区別して検相を行うことで、単相回路で接続が正常なときにインターロックを自動解除して、工事者の判断によるインターロックの強制解除をなくし、工事者の判断誤りでの不完全なバイパス線路による作業事故を防ぐことができる。
【０１００】
図１９を参照して前記判定回路による無電圧ロック解除処理の流れを説明する。
まず、（ステップ３００）で三相の左側の端子が全て無電圧かどうかをみて、ＮＯであれば「ロック施錠」の判定をする。
【０１０１】
（ステップ３００）でＹＥＳであれば（ステップ３０１）で三相の右側の端子が全て無電圧かどうかをみて、ＮＯであれば「ロック施錠」の判定をする。
そして、（ステップ３０１）でＹＥＳであれば「ロック解除」の判定をする。
【０１０２】
図２０を参照してバイパス工事が終了し工事用開閉器Ｓのケーブルに充電している電荷を一括して接地放電する場合を説明する。
まず、無電圧ロック解除処理を行うために、前記操作スイッチ７７のポジションを「無電圧ロック解除」に設定する。
【０１０３】
そして、図２０に示した場合では、三相の両側の全六端子が高圧配電線から外されており、無電圧となっているので、「ロック解除」と判定され、自動的にロックが解除された後、操作ハンドル９１を入操作して接地放電をすることができる。
【０１０４】
このように、高圧配電線の工事用開閉器を用いたバイパス工事終了後にケーブルに充電している電荷を一括して接地放電する際、仮にケーブルを高圧配電線から外すことを忘れて接続したままで開閉器を入操作すると地絡事故や短絡事故になるが、本実施の形態では前記のように全六端子が充電されていないときにインターロックを自動解除することで、地絡事故や短絡事故を防ぐことができる。
また、工事用開閉器の装置点検において開閉器を入状態にするときにも同様にインターロックを自動解除することで、工事者の判断によるインターロックの強制解除をなくしており、工事者の判断誤りによる作業事故を防ぐことができる。
【０１０５】
図２１を参照して前記判定回路による片側充電ロック解除処理の流れを説明する。
まず、（ステップ４００）で工事用開閉器Ｓの左側の三相が全て正常かどうかをみて、ＹＥＳであれば（ステップ４０１）で右側の三相が全て無電圧かどうかをみる。
（ステップ４０１）でＹＥＳであれば、工事用開閉器Ｓの「ロック解除」の判定をする。また、（ステップ４０１）でＮＯであれば、工事用開閉器Ｓの「ロック施錠」の判定をする。
【０１０６】
（ステップ４００）でＮＯであれば、（ステップ４０２）で工事用開閉器Ｓの左側の二相（単相回路）が正常かどうかをみて、ＹＥＳであれば（ステップ４０１）へ移行する。また、（ステップ４０２）でＮＯであれば、（ステップ４０３）で工事用開閉器Ｓの右側の三相が全て正常かどうかをみる。
【０１０７】
（ステップ４０３）でＹＥＳであれば（ステップ４０４）で三相の左側の端子が全て無電圧かどうかをみて、ＹＥＳであれば工事用開閉器Ｓの「ロック解除」の判定をする。また、（ステップ４０４）でＮＯであれば、工事用開閉器Ｓの「ロック施錠」の判定をする。
【０１０８】
（ステップ４０３）でＮＯであれば、（ステップ４０５）で工事用開閉器Ｓの右側の二相（単相回路）が正常かどうかをみて、ＹＥＳであれば（ステップ４０４）に移行する。また、（ステップ４０５）でＮＯであれば、工事用開閉器Ｓの「ロック施錠」の判定をする。
【０１０９】
図２２を参照して、バイパス線路が三相である場合に二台の工事用開閉器Ｓ１、Ｓ２を直列に接続して使用する場合の検相を工事内容の具体例をあげて説明する。
まず、先に操作する工事用開閉器Ｓ１の片側充電ロック解除処理を行うために、前記操作スイッチ７７のポジションを「片側充電ロック解除」に設定する。
【０１１０】
図２２に示す場合では、両工事用開閉器Ｓ１、Ｓ２が正常に接続されているので、前記判定回路の片側充電ロック解除処理により、工事用開閉器Ｓ１の片側が三相及び単相で正常な充電状態のときは「ロック解除」と判定され、自動的にロックが解除された後、操作ハンドル９１を入操作することができる。
【０１１１】
このように、高圧配電線の工事において、工事用開閉器を複数台直列に用いてバイパス線路を設ける際には、片側のみ充電されている状態で開閉器を入操作するが、従来の検相器では、異常接続と判断しインターロック施錠しているものを工事者が「開閉器を入操作してよい」と判断し、インターロックを強制解除して開閉器の入操作をしていた。
本実施の形態では、前記片側充電ロック解除処理により、片側が三相又は単相回路で正常な充電状態のときはインターロックを自動解除し、工事者の判断によるインターロックの強制解除をなくしており、工事者の判断誤りによる不完全なバイパス線路での作業事故を防ぐことができる。
【０１１２】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【符号の説明】
【０１１３】
Ｓ  工事用開閉器
Ａ  開閉器用インターロック装置
Ｕ  インターロックユニット
１  ケース
１０、１１、１２、１３、１４、１５  構成板
１６  ケーブル
２  ロックピン
２０  取付基具
２０ａ、２０ｂ、２０ｃ  構成板
２１ａ、２１ｂ  挿通孔
２２  ガイド長孔
２３  掛合ピン
２３ａ  一端
２３ｂ  他端
２４  圧縮コイルバネ
３  ハンドルロック解除部
３０  ロック解除アーム
３００  掛合凹部
３１  軸受具
３２  軸
３２０  先端
３２２  基端
３３  ロックアーム
３３０  案内面
３３１  ラッチ凹部
３３２  長孔
３４  ロック解除用ソレノイド
３４０  ロッド
３４１  掛止ピン
３５  連結板
３５０  掛合ピン
４  ラッチアーム
４０  軸
４１  支持具
４２  アーム板
４３  ラッチピン
４４  ラッチ解除ピン
４５  弦巻コイルバネ
５  ハンドルロック復帰部
５０  ロック復帰アーム
５１  軸
５２  ロッド取付アーム
５３  支持具
５４  ロック復帰用ソレノイド
５４０  ロッド
５４１  掛止ピン
５４２  弦巻コイルバネ
６  ハンドル入操作時ラッチ解除部
６０  ハンドル受アーム
６１  軸受具
６２  軸
６３  ラッチ解除アーム
６３０  先部
６４  弦巻コイルバネ
７  検相器
７０  ケース
７１〜７３  信号線
７４、７４ａ  充電判定部
７５  位相判定部
７６、７６ａ  相間位相判定部
７７  操作スイッチ
７８  検出表示部
８１〜８６  バイパス線路
９  開閉器
９０  筐体
９１  操作ハンドル
９３  ロック制御部材
９３０  ロックピン止部
９４  押し具
９９  高圧開閉器部
【図１】
0005440793.tif 000002
【図２】
0005440793.tif 000003
【図３】
0005440793.tif 000004
【図４】
0005440793.tif 000005
【図５】
0005440793.tif 000006
【図６】
0005440793.tif 000007
【図７】
0005440793.tif 000008
【図８】
0005440793.tif 000009
【図９】
0005440793.tif 000010
【図１０】
0005440793.tif 000011
【図１１】
0005440793.tif 000012
【図１２】
0005440793.tif 000013
【図１３】
0005440793.tif 000014
【図１４】
0005440793.tif 000015
【図１５】
0005440793.tif 000016
【図１６】
0005440793.tif 000017
【図１７】
0005440793.tif 000018
【図１８】
0005440793.tif 000019
【図１９】
0005440793.tif 000020
【図２０】
0005440793.tif 000021
【図２１】
0005440793.tif 000022
【図２２】
0005440793.tif 000023
【図２３】
0005440793.tif 000024
【図２４】
0005440793.tif 000025
【図２５】
0005440793.tif 000026